(57)【特許請求の範囲】
【請求項１】
ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法において、
上記公衆網を介して受信した画情報を蓄積する一方、上記蓄積した画情報、および、上記画情報を表示するための画情報表示プラグインソフトをＨＴＴＰ伝送手順に従って配布するＨＴＴＰサーバ機能を備え、
画情報受信時に相手端末より通知されたサブアドレス情報に対応して上記アドレス変換テーブルに記憶されているネットワークアドレスの宛先端末に対し、上記蓄積した画情報および画情報表示プラグインソフトをＨＴＴＰクライアント機能により取得するための情報を通知する着信通知メールを送信することを特徴とするネットワークファクシミリ装置の制御方法。
【請求項２】
ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法において、
上記公衆網を介して受信した画情報を蓄積する一方、上記蓄積した画情報、および、上記画情報を表示するための画情報表示プラグインソフトをＨＴＴＰ伝送手順に従って配布するＨＴＴＰサーバ機能を備え、
画情報受信時に相手端末より通知されたサブアドレス情報に対応して上記アドレス変換テーブルに記憶されているネットワークアドレスの宛先端末に対し、ファクシミリ文書を受信した旨を通知するとともに、上記蓄積した画情報および画情報表示プラグインソフトをプラグインソフト機能を有するＨＴＴＰクライアント機能により取得するための情報、および、上記蓄積した画情報をプラグインソフト機能を有さないＨＴＴＰクライアント機能により取得するためのリンク情報を通知する着信通知メールを送信することを特徴とするネットワークファクシミリ装置の制御方法。
【発明の詳細な説明】
【０００１】
【発明の属する技術分野】
本発明は、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法に関する。
【０００２】
【従来の技術】
近年、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したメールアドレス等のネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレス（メールアドレス）の宛先端末に、ローカルエリアネットワークを介して送信するネットワークファクシミリ装置が提案されている。
【０００３】
このようなネットワークファクシミリ装置を利用すると、ローカルエリアネットワークに接続したワークステーション装置に対し、公衆網に接続されているファクシミリ装置からの画情報を配信することができるので、ファクシミリネットワークの利用性を大幅に拡大することができ、非常に便利である。
【０００４】
また、接続されたローカルエリアネットワークが、インターネットに接続されている場合には、インターネットを介して他のローカルエリアネットワークに接続された端末装置に対しても画情報送信動作を行うことができることになる。
【０００５】
【発明が解決しようとする課題】
ところで、従来では、ネットワークファクシミリ装置から配信先のユーザへの受信画情報の配信は、ローカルエリアネットワークの電子メール機能を用いて行っている。
【０００６】
そのため、特に、１つのサブアドレスが複数のユーザに対応している場合には、データ量の大きい画情報を運ぶ複数の電子メールがローカルエリアネットワークを介して伝送されるので、電子メールを配信する電子メール機能を分担するメールサーバの負担が大きくなり、他の電子メール配信サービスに影響を及ぼすおそれがある。
【０００７】
本発明は、かかる実情に鑑みてなされたものであり、メールサーバの負担を軽減することができるネットワークファクシミリ装置の制御方法を提供することを目的としている。
【０００８】
【課題を解決するための手段】
本発明は、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法において、上記公衆網を介して受信した画情報を蓄積する一方、上記蓄積した画情報、および、上記画情報を表示するための画情報表示プラグインソフトをＨＴＴＰ伝送手順に従って配布するＨＴＴＰサーバ機能を備え、画情報受信時に相手端末より通知されたサブアドレス情報に対応して上記アドレス変換テーブルに記憶されているネットワークアドレスの宛先端末に対し、上記蓄積した画情報および画情報表示プラグインソフトをＨＴＴＰクライアント機能により取得するための情報を通知する着信通知メールを送信するようにしたものである。
【０００９】
また、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法において、上記公衆網を介して受信した画情報を蓄積する一方、上記蓄積した画情報、および、上記画情報を表示するための画情報表示プラグインソフトをＨＴＴＰ伝送手順に従って配布するＨＴＴＰサーバ機能を備え、画情報受信時に相手端末より通知されたサブアドレス情報に対応して上記アドレス変換テーブルに記憶されているネットワークアドレスの宛先端末に対し、ファクシミリ文書を受信した旨を通知するとともに、上記蓄積した画情報および画情報表示プラグインソフトをプラグインソフト機能を有するＨＴＴＰクライアント機能により取得するための情報、および、上記蓄積した画情報をプラグインソフト機能を有さないＨＴＴＰクライアント機能により取得するためのリンク情報を通知する着信通知メールを送信するようにしたものである。
【００１１】
【発明の実施の形態】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。また、ローカルエリアネットワークＬＡＮは、ルータ装置ＲＴを介して、インターネットへと接続され、他のローカルエリアネットワーク等に接続されているホスト装置等との間で種々のデータのやりとりが可能である。
【００１４】
ここで、メールサーバ装置ＳＭは、ローカルエリアネットワークＬＡＮに接続されているワークステーション装置ＷＳ１〜ＷＳｎを利用するユーザ、および、ネットワークファクシミリ装置ＦＸに対して、電子メール（後述）の収集および配布のサービスを提供するものである。
【００１５】
また、ワークステーション装置ＷＳ１〜ＷＳｎには、ローカルエリアネットワークＬＡＮを介して種々のデータのやりとりを行うアプリケーションソフトウェア（電子メールの送受信処理等）や、ＨＴＭＬ（Ｈｙｐｅｒ  Ｔｅｘｔ  Ｍａｒｋｕｐ  Ｌａｎｇｕａｇｅ）に従って記述された電子メールの内容を解釈し、その内容を表示するとともに、ＨＴＴＰ（Ｈｙｐｅｒ  Ｔｅｘｔ  Ｔｒａｎｓｆｅｒ  Ｐｒｏｔｏｃｏｌ）伝送手順という通信プロトコルに従って、必要な情報を取得する機能を備えた電子メール閲覧ソフトウェアなどの種々のプログラムが導入されており、特定のユーザにより使用されるものである。ここで、特定のユーザは、一人または複数人のユーザであってよい。
【００１６】
なお、この電子メール閲覧ソフトウェア機能は、ほぼ、ＷＷＷ（Ｗｏｒｌｄ  Ｗｉｄｅ  Ｗｅｂ）閲覧ソフト（いわゆるＷＷＷブラウザーソフト（例えば、Ｎｅｔｓｃａｐｅ社の「Ｎｅｔｓｃａｐｅ  Ｎａｖｉｇａｔｏｒ」など）等）の機能に相当するものである。また、この「Ｎｅｔｓｃａｐｅ  Ｎａｖｉｇａｔｏｒ」には、ＨＴＭＬ形式の電子メールを解釈して表示し、必要に応じて、リンク情報で示されている任意の情報を、ＨＴＴＰ伝送手順に従って取得する機能が備わっているので、電子メール閲覧ソフトウェアとして、このＷＷＷ閲覧ソフトをそのまま利用することができる。
【００１７】
また、ネットワークファクシミリ装置ＦＸは、ローカルエリアネットワークＬＡＮにおける電子メールの送受信機能、ローカルエリアネットワークＬＡＮに接続されたワークステーション装置ＷＳ１〜ＷＳｎに対して、画情報を配信するためのＨＴＴＰサーバー機能、および、公衆網（ＰＳＴＮ）に接続し、この公衆網を伝送路として用いてグループ３ファクシミリ伝送手順による画情報伝送を行う伝送機能などの種々の伝送（通信）機能を備えている。
【００１８】
図２は、ネットワークファクシミリ装置ＦＸの構成例を示している。
【００１９】
同図において、システム制御部１は、このネットワークファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置に固有な各種の情報を記憶するためのものであり、時計回路４は、現在時刻情報を出力するものである。
【００２０】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このファクシミリ装置を公衆網（ＰＳＴＮ）に接続するためのものであり、自動発着信機能を備えている。
【００２４】
ローカルエリアネットワークインターフェース回路１２は、このインターネットファクシミリ装置をローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理（電子メール送受信処理やポイント・ツー・ポイント通信処理等）、および、ＨＴＴＰサーバー機能処理を実行するためのものである。
【００２５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２６】
また、網制御装置１１とグループ３ファクシミリモデム１０との間のデータのやりとりは、直接行なわれている。
【００２７】
さて、ネットワークファクシミリ装置ＦＸは、ファクシミリ伝送手順により受信するサブアドレス情報と、そのサブアドレス情報に対応したメールアドレスを関連づけて記憶したアドレス変換テーブルを備え、公衆網を介して受信した画情報を、その画情報受信時に相手端末より通知されたサブアドレス情報に対応してアドレス変換テーブルに記憶されているメールアドレスの宛先端末に、ローカルエリアネットワークＬＡＮを介して配信する。
【００２８】
このようなファクシミリ画情報の配信のためのアドレス変換テーブルの一例を図３に示す。
【００２９】
このアドレス変換テーブルは、おのおののサブアドレスについて、それぞれの配信先を識別するためのＩＤ、サブアドレス、および、配信先のユーザのメールアドレスを組にして記憶するものである。
【００３０】
また、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３１】
また、各端末がメールサーバ装置ＳＭに対して、ユーザ宛の電子メールの受信確認や送信要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３２】
また、ＴＣＰ／ＩＰ，ＳＭＴＰ，ＰＯＰなどの通信プロトコル、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２（基本的な仕様），ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）でそれぞれ規定されている。
【００３３】
一方、本実施例では、ネットワークファクシミリ装置ＦＸからワークステーション装置ＷＳ１〜ＷＳｎの各ユーザへの受信画情報の配信は、ＨＴＴＰ伝送手順が適用される。
【００３４】
すなわち、この場合、ネットワークファクシミリ装置ＦＸは、配信先のユーザへ、画情報を受信した旨を通知するとともに、受信画情報の保存先をあらわすリンク情報を通知する受信通知の電子メール（以下、着信通知メールという）を送信する。
【００３５】
その着信通知メールを受信したユーザは、自分が使用するワークステーション装置ＷＳ１〜ＷＳｎの電子メール閲覧ソフトにより、その受信した電子メールを閲覧する。それにより、その電子メール閲覧ソフトは、リンク情報に従って、必要な画情報をネットワークファクシミリ装置ＦＸより取得し、その内容を画面上に表示する。これにより、ユーザは、自分宛のファクシミリ文書の内容を確認することができる。
【００３６】
図４は、着信通知メールの一例を示している。
【００３７】
この着信通知メールでは、本文情報としてＨＴＭＬ形式の情報（以下、ＨＴＭＬ情報という）を用いるので、そのヘッダ情報の「Ｃｏｎｔｅｎｔ−Ｔｙｐｅ：」フィールドには、本文情報の内容がＨＴＭＬ情報である旨を表示する値「ｔｅｘｔ／ｈｔｍｌ」がセットされている。また、この場合、日本語表示のために、サブタイプとして「ｃｈａｒｓｅｔ＝ｉｓｏ−２２０２−ｊｐ」がセットされている。
【００３８】
また、本文情報のＨＴＭＬ情報には、＜ＥＮＢＥＤ  ｓｒｃ＝”・・・”  ｗｉｄｔｈ＝  ・・・  ＞  ＜ＮＯＥＮＢＥＤ＞  ・・・  ＜／ＮＯＥＮＢＥＤ＞という形式のタグが用いられており、この一連のタグにより、受信画情報の表示がなされる。なお、このタグの表現形式は、
【００３９】
すなわち、このタグの前半部分のうち、「＜ＥＮＢＥＤ  ｓｒｃ  ＝  ”ｈｔｔｐ：／／ｆａｘ．ｘｘｘ．ｙｙｙ．ｃｏ．ｊｐ／ｒｅｃｉｅｖｅｄ／１９９７０８２６０６．ｔｉｆｆ”  ｗｉｄｔｈ＝”１００％”」は、「ｈｔｔｐ：／／ｆａｘ．ｘｘｘ．ｙｙｙ．ｃｏ．ｊｐ／ｒｅｃｉｅｖｅｄ／１９９７０８２６０６．ｔｉｆｆ」というＵＲＬ（Ｕｎｉｆｏｒｍ  Ｒｅｓｏｕｒｃｅ  Ｌｏｃａｔｏｒ）であらわされる画像データ（ｓｒｃ；ソースデータ）を取得して、そのタグの配置位置に、幅が１００％の大きさで表示する（すなわち、画面上で画像を貼り付ける）ことを指示している。
【００４０】
なお、アドレス「ｆａｘ．ｘｘｘ．ｙｙｙ．ｃｏ．ｊｐ」は、ネットワークファクシミリ装置ＦＸに付されたホストアドレスであり、「ｒｅｃｉｅｖｅｄ」は、画像蓄積装置９において、受信画情報を蓄積する記憶領域に割り当てられたディレクトリ名である。
【００４１】
また、「ｐｌｕｇｉｎｓｐａｇｅ  ＝  ”ｈｔｔｐ：／／ｆａｘ．ｘｘｘ．ｙｙｙ．ｃｏ．ｊｐ／ｐｌｕｇｉｎｓｐａｇｅ／”＞」は、「ｓｒｃ」であらわされた画像データを表示するためのプラグインソフトが必要なときには、「ｐｌｕｇｉｎｓｐａｇｅ」で指定したＵＲＬより、そのプラグインソフトを取得できることを指示している。
【００４２】
したがって、電子メール閲覧ソフトウェアは、プラグインソフト機能を備えており、かつ、「＊．ｔｉｆｆ」という形式の画像データを表示する機能を備えていないときには、上述したＵＲＬより必要なプラグインソフトを取得し、そのプラグインソフトの機能により、ネットワークファクシミリ装置ＦＸから取得した受信画情報の画像データを表示する。
【００４３】
また、このタグの後半部分である「＜ＮＯＥＮＢＥＤ＞０４５−１２３−４５６７番の相手方からあなた宛にファクシミリ文書を受信しました。＜ａ  ｒｅｆ＝”ｈｔｔｐ：／／  ｆａｘ．ｘｘｘ．ｙｙｙ．ｃｏ．ｊｐ／ｒｅｃｉｅｖｅｄ／１９９７０８２６０６．ｔｉｆｆ”＞ここ＜／ａ＞をクリックすると、受信画像が得られます。」は、プラグインソフト機能がない場合に適用される部分であり、図５に示すような表示がなされる。
【００４４】
そして、この図５の「ここ」の表示部分をクリックすると、電子メール閲覧ソフトウェアは、「ｈｔｔｐ：／／  ｆａｘ．ｘｘｘ．ｙｙｙ．ｃｏ．ｊｐ／ｒｅｃｉｅｖｅｄ／１９９７０８２６０６．ｔｉｆｆ」というＵＲＬで指定された画像データを、ネットワークファクシミリ装置ＦＸより受信する。
【００４５】
この場合には、ユーザは、必要な画像データ閲覧ソフトウェアを起動して、受信した画像データを表示させればよい。
【００４６】
ＨＴＴＰ伝送手順の一例を図６に示す。
【００４７】
ＨＴＴＰクライアントは、ＨＴＴＰサーバーに対して、「セッション確立要求」を発行し、この「セッション確立要求」を受信すると、ＨＴＴＰサーバーは、「セッション確立応答」を応答する。これにより、ＨＴＴＰクライアントとＨＴＴＰサーバーとの間でＨＴＴＰ伝送のためのセッションが確立する。
【００４８】
次いで、ＨＴＴＰクライアントは、受信するドキュメント（例えば、画像データなど）を要求するための「ドキュメント要求」、ドキュメントを指示するための「リクエストヘッダ」、コマンドの区切をあらわす「空白行」、および、必要な場合には、「追加データ（オプション）」を順次送出する。
【００４９】
それにより、ＨＴＴＰサーバーは、「ステータス」、「要求データのヘッダ情報」、「空白行」、および、「要求データ」を順次送出し、ＨＴＴＰクライアントより指定されたドキュメントを転送する。
【００５０】
このように、ＨＴＴＰ伝送手順でのファイル転送は、リクエスト（要求）とレスポンス（応答）からなり、この単位で独立していて、１回ごとに接続が切断される。また、リクエストには、転送要求するファイルのＵＲＬが含まれる。
【００５１】
図７は、公衆網より着呼された場合にネットワークファクシミリ装置ＦＸが実行する処理の一例を示している。
【００５２】
まず、着信検出すると（判断１０１の結果がＹＥＳ）、着信応答して（処理１０２）、所定のグループ３ファクシミリ伝送手順の伝送前手順を実行して（処理１０３）、そのときに使用する伝送機能などを設定し、モデムトレーニング手順を実行してそのときに使用するモデム速度を決定し（処理１０４）、画情報受信手順を実行し、画情報を受信して、受信した画情報を画像蓄積装置９に蓄積する（処理１０５）。
【００５３】
画情報受信動作を終了すると、所定の伝送後手順を実行した後に（処理１０６）、回線を復旧する（処理１０７）。
【００５４】
次いで、そのときに受信したサブアドレス信号ＳＵＢの内容に基づいて、アドレス変換テーブルを参照し、宛先ユーザのメールアドレスを取得し（処理１０８）、上述したような着信通知メールの本文情報およびヘッダ情報を作成し（処理１０９）、その作成した着信通知メールを送信する（処理１１０）。
【００５５】
以上のように、本実施例では、ネットワークファクシミリ装置ＦＸは、配信先のユーザへ、画情報を受信した旨を通知するとともに、受信画情報の保存先をあらわすリンク情報を通知する着信通知メールを送信するので、その着信通知メールを受信したユーザは、自分が使用するワークステーション装置ＷＳ１〜ＷＳｎの電子メール閲覧ソフトの機能により、リンク情報に従って、必要な画情報をネットワークファクシミリ装置ＦＸより取得し、その内容を画面上に表示することができるので、これにより、ユーザは、自分宛のファクシミリ文書の内容を確認することができる。
【００５６】
なお、上述した実施例では、着信通知メールにＨＴＭＬ情報で、受信画情報を貼り付けるための情報を配置しているが、同様の機能は、ＪＡＶＡ言語のａｐｌｅｔを用いた場合でも同様にして実現することができる。
【００５７】
また、電子メール閲覧ソフトとしては、上述した実施例の「ＮｅｔｓｃａｐｅＮａｖｉｇａｔｏｒ」以外にも、同様なＨＴＭＬ情報の解釈とＨＴＴＰ伝送手順の実行機能を備えたものを適用することができる。
【００５８】
【発明の効果】
以上説明したように、本発明によれば、画情報受信時に相手端末より通知されたサブアドレス情報に対応して上記アドレス変換テーブルに記憶されているネットワークアドレスの宛先端末に対し、上記蓄積した画情報および画情報表示プラグインソフトをＨＴＴＰクライアント機能により取得するための情報を通知する着信通知メールを送信するようにしたので、メールサーバの負担を大幅に削減できるとともに、その着信通知メールを受信したユーザは、電子メール閲覧ソフトの機能により、受信画情報を取得して閲覧することができ、非常に便利であるという効果も得る。
【００５９】
また、画情報受信時に相手端末より通知されたサブアドレス情報に対応して上記アドレス変換テーブルに記憶されているネットワークアドレスの宛先端末に対し、ファクシミリ文書を受信した旨を通知するとともに、上記蓄積した画情報および画情報表示プラグインソフトをプラグインソフト機能を有するＨＴＴＰクライアント機能により取得するための情報、および、上記蓄積した画情報をプラグインソフト機能を有さないＨＴＴＰクライアント機能により取得するためのリンク情報を通知する着信通知メールを送信するようにしたので、メールサーバの負担を大幅に削減できるとともに、その着信通知メールを受信したユーザは、電子メール閲覧ソフトの機能により、受信画情報を取得して閲覧することができ、便利であるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】アドレス変換テーブルの一例を示した概略図。
【図４】着信通知メールの一例を示した概略図。
【図５】画面表示の一例を示した概略図。
【図６】ＨＴＴＰ伝送手順の一例を示したタイムチャート。
【図７】公衆網より着呼された場合にネットワークファクシミリ装置ＦＸが実行する処理の一例を示したフローチャート。
【図１】
0003543918.tif 000002
【図２】
0003543918.tif 000003
【図３】
0003543918.tif 000004
【図４】
0003543918.tif 000005
【図５】
0003543918.tif 000006
【図６】
0003543918.tif 000007
【図７】
0003543918.tif 000008